(57)【特許請求の範囲】
【請求項１】
内部ネットワークと外部ネットワークとを接続する接続機器の前記内部ネットワークに接続されている通信装置であって、
前記外部ネットワークから受信した呼び出し情報を前記接続機器が前記内部ネットワークに一斉送信した場合に、前記呼び出し情報に対する第１応答情報を前記内部ネットワーク内の各種機器の中で最初に前記接続機器に送信することを条件として、前記外部ネットワークとＩＰ通信を実行可能な通信装置であって、
前記内部ネットワーク内の他の通信装置よりも優先して通信セッションを確立する旨の第１優先設定の入力を受け付けた場合に、前記呼び出し情報を受信してから前記第１応答情報を前記接続機器に対して送信するまでの時間を第１遅延時間に設定して記憶部に記憶させる第１設定手段と、
前記第１設定手段で前記第１遅延時間を設定したことを条件として、前記内部ネットワーク内の他の通信装置へ、当該他の通信装置が非優先である旨の第１非優先通知を前記内部ネットワークを用いてブロードキャストする第１送信手段と、
前記他の通信装置から前記内部ネットワークを介して前記第１非優先通知を受信した場合に、前記呼び出し情報を受信してから前記第１応答情報を前記接続機器に対して送信するまでの時間を前記第１遅延時間よりも大きい第２遅延時間に設定して前記記憶部に記憶させる第２設定手段と、
前記呼び出し情報を前記接続機器から受信した場合に、前記第１遅延時間および前記第２遅延時間のうち前記記憶部に記憶されている方の時間に基づいて前記第１応答情報を前記接続機器に対して送信する第２送信手段と、
前記接続機器から前記通信セッションの確立了解を意味する第２応答情報を受信した場合に、前記外部ネットワークとの間の通信セッションを確立する通信実行手段と、
を備えることを特徴とする通信装置。
【請求項２】
前記外部ネットワーク内の複数の通信先機器のうちから予め定められた特定の通信先機器から特定の呼び出し情報を受信した場合に前記内部ネットワーク内の他の通信装置よりも優先して前記特定の通信先機器との間で前記通信セッションを確立する旨の第２優先設定の入力を受け付けた場合に、前記特定の呼び出し情報を受信してから前記第１応答情報を前記接続機器に対して送信するまでの時間を第３遅延時間に設定して記憶部に記憶させる第３設定手段と、
ここで、前記第３遅延時間は、前記第１遅延時間および前記第２遅延時間よりも小さい時間であり、
前記第３設定手段で前記第３遅延時間を設定したことを条件として、前記内部ネットワーク内の他の通信装置へ、遅延設定通知を前記内部ネットワークを用いてブロードキャストする第３送信手段と、
を備え、
前記第２送信手段は、前記特定の呼び出し情報を前記接続機器から受信した場合に、
前記第３遅延時間が前記記憶部に記憶されている場合には、前記第３遅延時間に基づいて前記第１応答情報を前記接続機器に対して送信し、
前記第３遅延時間が前記記憶部に記憶されていない場合には、前記第１遅延時間および前記第２遅延時間のうち前記記憶部に記憶されている方の時間に基づいて前記第１応答情報を前記接続機器に対して送信することを特徴とする請求項１に記載の通信装置。
【請求項３】
前記第３遅延時間よりも前記第１遅延時間の方が大きく、前記第１遅延時間よりも前記第２遅延時間の方が大きいことを特徴とする請求項２に記載の通信装置。
【請求項４】
前記特定の通信先機器を識別する特定の識別情報を前記記憶部に記憶させる記憶制御手段をさらに備え、
前記第２送信手段は、受信した前記呼び出し情報に含まれている識別情報が前記記憶部に記憶されている前記特定の識別情報に一致するか否かにより、前記特定の呼び出し情報を受信したか否かを判断することを特徴とする請求項２または３に記載の通信装置。
【請求項５】
前記呼び出し情報は、呼制御プロトコルの１つであるＳＩＰ（Session Initiation Protocol）プロトコルのＩＮＶＩＴＥメッセージであり、
前記第１応答情報はＳＩＰプロトコルの２００ＯＫメッセージであり、
第２応答情報はＳＩＰプロトコルのＡＣＫメッセージであることを特徴とする請求項１ないし４の何れか１項に記載の通信装置。
【請求項６】
内部ネットワークと外部ネットワークとを接続する接続機器と、
前記内部ネットワークに接続されている複数の通信装置と、
を備える通信システムであって、
前記接続機器は、前記外部ネットワークから呼び出し情報を受信した場合に、当該呼び出し情報を前記内部ネットワークに接続されている前記複数の通信装置へ一斉送信し、
前記複数の通信装置の各々は、
前記内部ネットワーク内の他の通信装置よりも優先して通信セッションを確立する旨の第１優先設定の入力を受け付けた場合に、前記呼び出し情報を受信してから第１応答情報を前記接続機器に対して送信するまでの時間を第１遅延時間に設定して記憶部に記憶させる第１設定手段と、
前記第１設定手段で前記第１遅延時間を設定したことを条件として、前記内部ネットワーク内の他の通信装置へ、当該他の通信装置が非優先である旨の第１非優先通知を前記内部ネットワークを用いてブロードキャストする第１送信手段と、
前記他の通信装置から前記内部ネットワークを介して前記第１非優先通知を受信した場合に、前記呼び出し情報を受信してから前記第１応答情報を前記接続機器に対して送信するまでの時間を前記第１遅延時間よりも大きい第２遅延時間に設定して前記記憶部に記憶させる第２設定手段と、
前記呼び出し情報を前記接続機器から受信した場合に、前記第１遅延時間および前記第２遅延時間のうち前記記憶部に記憶されている方の時間に基づいて前記第１応答情報を前記接続機器に対して送信する第２送信手段と、
前記接続機器から前記通信セッションの確立了解を意味する第２応答情報を受信した場合に、前記外部ネットワークとの間の通信セッションを確立する通信実行手段と、
を備え、
前記接続機器は、
前記呼び出し情報に対する前記第１応答情報を、前記複数の通信装置の中で最初に前記接続機器に送信してきた通信装置に対して、前記第２応答情報を送信することを特徴とする通信システム。
【発明の詳細な説明】
【技術分野】
【０００１】
本明細書によって開示される技術は、データの通信を実行する通信装置および通信システムに関する。
【背景技術】
【０００２】
特許文献１には、ＩＳＤＮ網に網終端装置が接続され、その網終端装置に複数の通信端末装置が接続されている構成が記載されている。特許文献１の技術では、ＩＳＤＮ網を介して相手端末側から発呼要求があった場合、発呼要求が網終端装置を介して複数の通信端末装置の各々に送信される。複数の通信端末装置のうちで最も早く発呼要求に応答した通信端末装置が通信対象として選択され、選択された通信端末装置との間で受信データを蓄積させる通信動作が行われる。また特許文献１では、通信端末装置でのメモリ使用率が小さいほど、着呼に対する応答の遅れが短くされる。
【先行技術文献】
【特許文献】
【０００３】
【特許文献１】特開２０００−６９１９６号公報
【発明の概要】
【発明が解決しようとする課題】
【０００４】
上記のような構成において、複数の通信端末装置のうちの特定の通信端末装置で通信動作を実行させたい場合がある。しかし特許文献１の技術では、特定の通信端末装置に優先的に通信動作を実行させることが困難である。本明細書では、このような不便性を解消することができる技術を提供する。
【課題を解決するための手段】
【０００５】
本願に記載の通信装置は、内部ネットワークと外部ネットワークとを接続する接続機器の内部ネットワークに接続されている通信装置であって、外部ネットワークから受信した呼び出し情報を接続機器が内部ネットワークに一斉送信した場合に、呼び出し情報に対する第１応答情報を内部ネットワーク内の各種機器の中で最初に接続機器に送信することを条件として、外部ネットワークとＩＰ通信を実行可能な通信装置であって、内部ネットワーク内の他の通信装置よりも優先して通信セッションを確立する旨の第１優先設定の入力を受け付けた場合に、呼び出し情報を受信してから第１応答情報を接続機器に対して送信するまでの時間を第１遅延時間に設定して記憶部に記憶させる第１設定手段と、第１設定手段で第１遅延時間を設定したことを条件として、内部ネットワーク内の他の通信装置へ、当該他の通信装置が非優先である旨の第１非優先通知を内部ネットワークを用いてブロードキャストする第１送信手段と、他の通信装置から内部ネットワークを介して第１非優先通知を受信した場合に、呼び出し情報を受信してから第１応答情報を接続機器に対して送信するまでの時間を第１遅延時間よりも大きい第２遅延時間に設定して記憶部に記憶させる第２設定手段と、呼び出し情報を接続機器から受信した場合に、第１遅延時間および第２遅延時間のうち記憶部に記憶されている方の時間に基づいて第１応答情報を接続機器に対して送信する第２送信手段と、接続機器から通信セッションの確立了解を意味する第２応答情報を受信した場合に、外部ネットワークとの間の通信セッションを確立する通信実行手段と、を備えることを特徴とする。
【０００６】
本願に記載の通信装置が内部ネットワーク内に複数存在する場合には、呼び出し情報を接続機器が外部ネットワークから受信した場合には、当該呼び出し情報が接続機器から複数の通信装置の各々へ一斉に送信される。ここで、第１設定手段や第２設定手段などの各種の手段を備えない場合には、内部ネットワークに接続されている複数の通信装置は、全て同一のタイミングで第１応答情報を接続機器へ返信する。すると、一番最初に接続機器で受信された第１応答情報に対応する通信装置で、外部ネットワークとの間の通信セッションが確立されてしまうため、通信を実行する通信装置を特定することが困難である。
【０００７】
本願に記載の通信装置では、第１優先設定がされた通信装置は、呼び出し情報を接続機器から受信した場合には、第１遅延時間で第１応答情報を接続機器に対して送信する。一方、第１優先設定がされた通信装置以外の他の通信装置では、呼び出し情報を接続機器から受信した場合には、第１遅延時間よりも大きい第２遅延時間で第１応答情報を接続機器に対して送信する。これにより、第１優先設定がされた通信装置から出力された第１応答情報が一番最初に接続機器で受信されるため、第１優先設定がされた通信装置で通信動作を確実に実行させることが可能となる。
【０００８】
また本願に記載の通信装置では、複数の通信装置の各々が第１設定手段や第２設定手段などの各種の手段を備えることで、第１優先設定がされた通信装置で通信動作を確実に実行させることができる。よって、接続機器にこれらの手段を備える必要をなくすことができる。
【０００９】
また、第１送信手段および第２設定手段によって、内部ネットワーク内の他の通信装置に第２遅延時間を設定することができる。これにより、内部ネットワーク内の他の通信装置の各々に対して、第２遅延時間の設定を個別に行う必要を無くすことができるため、設定を簡略化することができる。
【００１０】
また、請求項２に記載の通信装置では、第２優先設定がされた通信装置は、予め定められた特定の呼び出し情報を接続機器から受信した場合には、第３遅延時間で第１応答情報を接続機器に対して送信する。第３遅延時間は、第１遅延時間および第２遅延時間よりも小さい時間である。一方、第２優先設定がされた通信装置以外の他の通信装置では、特定の呼び出し情報を接続機器から受信した場合には、第１遅延時間または第２遅延時間で第１応答情報を接続機器に対して送信する。接続機器は、第１応答情報を内部ネットワーク内の複数の通信装置の中で最初に接続機器に送信してきた通信装置にのみ第２応答情報を送信する。これにより、第２優先設定がされた通信装置から出力された第１応答情報が一番最初に接続機器で受信される。よって、予め定められた特定の通信先機器から特定の呼び出し情報を受信した場合には、第２優先設定がされた通信装置で通信動作を確実に実行させることが可能となる。
【００１１】
また、内部ネットワーク内の複数の通信装置に対して、第１優先設定と第２優先設定とが重複して設定される場合がある。請求項３に記載の通信装置では、第３遅延時間よりも第１遅延時間の方が大きいため、複数の通信装置のうちの何れかの通信装置に対する特定の呼び出し情報を接続機器が受信した場合には、第２優先設定がされた通信装置は、第２優先設定がされていない他の通信装置に比して早く第１応答情報を接続機器に対して送信する。よって、第１優先設定が行われた通信装置よりも、第２優先設定が行われた通信装置の方を優先して通信セッションを確立させることができる。また請求項３に記載の通信装置では、第１遅延時間よりも第２遅延時間の方が大きいため、（特定の呼び出し情報ではない）呼び出し情報を接続機器が受信した場合には、第１優先設定がされた通信装置は、第１優先設定がされていない他の通信装置に比して早く第１応答情報を接続機器に対して送信する。よって、第１優先設定が行われていない通信装置よりも、第１優先設定が行われた通信装置の方を優先して通信セッションを確立させることができる。これにより、第１優先設定と第２優先設定とが重複して設定された場合に、何れを優先するかを決定することが可能となる。
【００１２】
また、請求項４に記載の通信装置では、予め定められた特定の通信先機器を識別する特定の識別情報を記憶部に記憶しておくことで、特定の通信先機器から特定の呼び出し情報を受信したか否かを判断することができる。これにより、特定の通信先機器を通信装置に登録することが可能となる。
【００１３】
また、請求項５に記載の通信装置では、ＳＩＰプロトコルに基づいて通信セッションが確立される。これにより、データの通信を、従来用いられている一般的なプロトコルを用いて行うことが可能となる。
【図面の簡単な説明】
【００１４】
【図１】通信システムの構成の一例を示す。
【図２】優先着信設定の設定処理の動作フローチャートを示す。
【図３】優先着信設定の設定処理の動作フローチャートを示す。
【図４】指定着信設定の設定処理の動作フローチャートを示す。
【図５】指定着信設定の設定処理の動作フローチャートを示す。
【図６】着信応答処理の動作フローチャートを示す。
【図７】設定記憶テーブルの一例を示す。
【図８】設定内容例を示す表の一例を示す。
【図９】設定内容例を示す表の一例を示す。
【図１０】設定内容例を示す表の一例を示す。
【図１１】動作例を説明するシーケンス図を示す。
【図１２】動作例を説明するシーケンス図を示す。
【発明を実施するための形態】
【００１５】
（実施例）
（システムの構成）
図面を参照して実施例を説明する。図１に示されるように、通信システム２は、ＩＰ網４、ＬＡＮ６およびＬＡＮ４０〜４３、第１ＦＡＸ装置１０ａ、第２ＦＡＸ装置１０ｂ、第３ＦＡＸ装置１０ｃ、ホームゲートウェイ９１、ＦＡＸ装置１１０〜１１３、ＳＩＰサーバ２２０、を備える。第１ＦＡＸ装置１０ａ、第２ＦＡＸ装置１０ｂ、第３ＦＡＸ装置１０ｃは、ＬＡＮ６を介してホームゲートウェイ９１に接続されている。ＬＡＮ６の外線番号は「ｘｘｘｙｙｙｚｚｚｚ」である。ＦＡＸ装置１１０〜１１３の各々は、ＬＡＮ４０〜４３の各々に接続されている。ＬＡＮ４０の外線番号は「ａａａｂｂｂｃｃｃｃ」である。ＬＡＮ４１の外線番号は「ｄｄｄｅｅｅｆｆｆｆ」である。ＬＡＮ４２の外線番号は「ｇｇｇｈｈｈｉｉｉｉ」である。ＬＡＮ４３の外線番号は「ｊｊｊｋｋｋｌｌｌｌ」である。ホームゲートウェイ９１、ＬＡＮ４０〜４３およびＳＩＰサーバ２２０は、ＩＰ網４に接続されている。第１ＦＡＸ装置１０ａ、第２ＦＡＸ装置１０ｂ、第３ＦＡＸ装置１０ｃと、ＳＩＰサーバ２２０と、ＦＡＸ装置１１０〜１１３とは、ホームゲートウェイ９１およびＩＰ網４を介して、相互に通信可能である。
【００１６】
ＩＰ網４は、プロバイダ（インターネット接続業者）によって提供されるＩＰ網である。ＩＰ網４は、ＳＩＰサーバ２２０で制御される。ＩＰ網４の一例としては、ＮＧＮ（Next Generation Network）が挙げられる。ＮＧＮは、現行の公衆網を代替する次世代ＩＰネットワークである。すなわちＮＧＮは、現在別々に構築されている、インターネットサービス用ＩＰネットワークと電話サービス用の電話網を、ＩＰ技術を用いてＩＰ通信網として統合したネットワークである。
【００１７】
（ＳＩＰサーバ２２０の構成）
ＳＩＰサーバ２２０の構成について説明する。ＳＩＰサーバ２２０は、第１ＦＡＸ装置１０ａ、第２ＦＡＸ装置１０ｂ、第３ＦＡＸ装置１０ｃ、ＦＡＸ装置１１０〜１１３の各々について、当該ＦＡＸ装置のＩＰアドレスと、当該ＦＡＸ装置のＳＩＰＵＲＩと、を対応付けて記憶している。ＳＩＰサーバ２２０は、ＳＩＰ（Session Initiation Protocol）を利用して、第１ＦＡＸ装置１０ａ、第２ＦＡＸ装置１０ｂ、第３ＦＡＸ装置１０ｃ、ＦＡＸ装置１１０〜１１３の間の通信セッションを確立する。例えば、第１ＦＡＸ装置１０ａとＦＡＸ装置１１０との間でＩＰＦＡＸ送信処理を実行するための通信セッションを確立するための各種コマンドは、ＳＩＰサーバ２２０を経由して送信される。
【００１８】
（ホームゲートウェイ９１の構成）
ＬＡＮ６の管理者（即ち第１ＦＡＸ装置１０ａ、第２ＦＡＸ装置１０ｂ、第３ＦＡＸ装置１０ｃのユーザ）が特定のプロバイダと契約すると、特定のプロバイダは、ホームゲートウェイ９１を管理者に提供する。管理者は、ホームゲートウェイ９１をＬＡＮ６に接続する。これにより、ホームゲートウェイ９１は、内部ネットワーク（ＬＡＮ６）と外部ネットワーク（ＩＰ網４）との間の通信を仲介するゲートウェイとして機能する。また、ホームゲートウェイ９１に接続されている第１ＦＡＸ装置１０ａ、第２ＦＡＸ装置１０ｂ、第３ＦＡＸ装置１０ｃは、ホームゲートウェイ９１配下では内線接続となる。よって第１ＦＡＸ装置１０ａ、第２ＦＡＸ装置１０ｂ、第３ＦＡＸ装置１０ｃは、相互に通信が可能な構成をとることができる。ホームゲートウェイ９１には、ＬＡＮ６の外線番号「ｘｘｘｙｙｙｚｚｚｚ」を含むＳＩＰＵＲＩ「ｘｘｘｙｙｙｚｚｚｚ＠ｓｉｐ．ｃｏｍ」が割り当てられる。このＳＩＰＵＲＩは、ＬＡＮ６の外線番号「ｘｘｘｙｙｙｚｚｚｚ」に、所定のドメイン「ｓｉｐ．ｃｏｍ」（例えば、特定のプロバイダが所有するドメイン）を付加することによって得られるものである。
【００１９】
（第１ＦＡＸ装置１０ａの構成）
第１ＦＡＸ装置１０ａの構成について説明する。第１ＦＡＸ装置１０ａは、印刷機能、スキャナ機能、コピー機能、電子メール送受信機能、ＩＰＦＡＸ機能、電話機能等の多機能を備える。第１ＦＡＸ装置１０ａは、表示部１２ａと、操作部１４ａと、ネットワークＩ／Ｆ（インターフェイス）１６ａと、スキャン実行部１８ａと、印刷実行部２０ａと、制御部２２ａと、を備える。上記の各部１２ａ〜２２ａはバス線２４ａに接続されている。表示部１２ａは、様々な情報を表示するためのディスプレイである。操作部１４ａは、複数のキーによって構成される。ユーザは、操作部１４ａを操作することによって、様々な指示を第１ＦＡＸ装置１０ａに入力することができる。ネットワークＩ／Ｆ１６ａは、ＬＡＮ６を介してホームゲートウェイ９１に接続されている。スキャン実行部１８ａは、ＣＩＳ、ＣＣＤ等のスキャン機構を備え、スキャン対象物をスキャンすることによって画像データを生成する。印刷実行部２０ａは、インクジェットヘッド方式、レーザ方式等の印刷機構を備え、制御部２２ａからの指示に従って印刷を行う。
【００２０】
制御部２２ａは、ＣＰＵ３０ａとメモリ３２ａとを備える。メモリ３２ａは、プログラム３４ａ、設定記憶テーブルＴＢ１ａ、を格納している。ＣＰＵ３０ａは、メモリ３２ａ内のプログラム３４ａに従って各種の制御を実行する。
【００２１】
図７に、設定記憶テーブルＴＢ１ａの一例を示す。設定記憶テーブルＴＢ１ａは、自機（第１ＦＡＸ装置１０ａ）に対する指定着信設定および優先着信設定の設定内容を記憶するためのテーブルである。指定着信設定とは、外部ネットワーク（ＩＰ網４）に接続されている予め定められた特定のＦＡＸ装置から呼び出し情報（ＩＮＶＩＴＥメッセージ）を受信した場合に、内部ネットワーク（ＬＡＮ６）内の他のＦＡＸ装置（第２ＦＡＸ装置１０ｂ、第３ＦＡＸ装置１０ｃ）よりも優先して特定のＦＡＸ装置との間で通信セッションを確立する旨の設定である。優先着信設定とは、ＩＰ網４に接続されているＦＡＸ装置からＩＮＶＩＴＥメッセージを受信した場合に、ＬＡＮ６内の他のＦＡＸ装置（第２ＦＡＸ装置１０ｂ、第３ＦＡＸ装置１０ｃ）よりも優先して通信セッションを確立する旨の設定である。
【００２２】
設定記憶テーブルＴＢ１ａは、情報番号１０１、指定発信元情報１０２、指定発信者１０３、指定着信フラグ１０４、優先着信フラグ１０５、を記憶する。情報番号１０１は、各指定発信元情報に割り当てられる連続番号である。指定発信元情報１０２は、指定着信動作を行う、特定の発信元を識別する情報である。指定発信者１０３は、特定の発信元のユーザを識別する情報である。指定発信元情報１０２および指定発信者１０３は、ユーザによって予め記憶されるとしてもよい。
【００２３】
指定着信フラグ１０４は、内部ネットワーク（ＬＡＮ６）内の第１ＦＡＸ装置１０ａ、第２ＦＡＸ装置１０ｂ、第３ＦＡＸ装置１０ｃの少なくとも１台に、指定着信設定が行われているか否かを示す情報である。第１ＦＡＸ装置１０ａ、第２ＦＡＸ装置１０ｂ、第３ＦＡＸ装置１０ｃの少なくとも１台で特定の発信元が指定されている場合には、第１ＦＡＸ装置１０ａ、第２ＦＡＸ装置１０ｂ、第３ＦＡＸ装置１０ｃの指定着信フラグ１０４が全て「指定あり」に設定される。第１ＦＡＸ装置１０ａは、指定着信フラグ１０４が「指定あり」に設定されている場合に、指定発信元情報１０２で指定された発信元からＩＮＶＩＴＥメッセージを受信すると、第３遅延時間（０ｓ（秒））の経過後に２００ＯＫをホームゲートウェイ９１へ返信する。一方、第１ＦＡＸ装置１０ａは、指定着信フラグ１０４が「指定なし」に設定されている場合に、ＩＮＶＩＴＥメッセージを受信すると、第４遅延時間（１．５ｓまたは３ｓ）の経過後に２００ＯＫをホームゲートウェイ９１へ返信する。
【００２４】
優先着信フラグ１０５は、自機（第１ＦＡＸ装置１０ａ）に優先着信設定が行われているか否かを示す情報である。第１ＦＡＸ装置１０ａは、優先着信フラグ１０５が「優先あり」に設定されている場合にＩＮＶＩＴＥメッセージを受信すると、第１遅延時間（０ｓまたは１．５ｓ）の経過後に２００ＯＫをホームゲートウェイ９１へ返信する。一方、第１ＦＡＸ装置１０ａは、優先着信フラグ１０５が「優先なし」に設定されている場合にＩＮＶＩＴＥメッセージを受信すると、第２遅延時間（３ｓ）の経過後に２００ＯＫをホームゲートウェイ９１へ返信する。
【００２５】
なお、第２ＦＡＸ装置１０ｂおよび第３ＦＡＸ装置１０ｃの各構成の内容は、第１ＦＡＸ装置１０ａと同様であるため、ここでは詳細な説明を省略する。また、第２ＦＡＸ装置１０ｂおよび第３ＦＡＸ装置１０の各々に記憶されている設定記憶テーブルＴＢ１ｂおよびＴＢ１ｃの内容は、第１ＦＡＸ装置１０ａに記憶されている設定記憶テーブルＴＢ１ａ（図７）の内容と同様であるため、ここでは詳細な説明を省略する。また、ＦＡＸ装置１１０〜１１３の構成についても、第１ＦＡＸ装置１０ａの構成と同様であるため、図１における構成内容の図示を省略する。
【００２６】
（優先着信設定の設定処理）
図２および図３を用いて、優先着信設定の設定処理について説明する。図２のフローは、ＬＡＮ６に接続されている第１ＦＡＸ装置１０ａ、第２ＦＡＸ装置１０ｂ、第３ＦＡＸ装置１０ｃの何れか１台を、「優先着信設定あり」に設定する処理を説明するフローである。図３のフローは、図２のフローで「優先着信設定あり」に設定されたＦＡＸ装置以外のＦＡＸ装置を、「優先着信設定なし」に設定する処理を説明するフローである。図２および図３のフローは、第１ＦＡＸ装置１０ａ、第２ＦＡＸ装置１０ｂ、第３ＦＡＸ装置１０ｃの電源が投入されている間に実行されるフローである。本実施形態の説明例では、説明の簡略化のために、第１ＦＡＸ装置１０ａが優先着信設定ありに設定される場合の動作例を、以下に説明する。
【００２７】
図２のＳ１１２において、第１ＦＡＸ装置１０ａのＣＰＵ３０ａは、ユーザによる優先着信設定の入力操作が操作部１４ａで受け付けられたか否かを判断する。入力が受け付けられていない場合（Ｓ１１２：ＮＯ）にはＳ１１２へ戻り、受け付けられた場合（Ｓ１１２：ＹＥＳ）にはＳ１１４へ進む。
【００２８】
Ｓ１１４において、ＣＰＵ３０ａは、設定記憶テーブルＴＢ１ａ（図７）の優先着信フラグ１０５を「優先あり」に設定する。これにより、第１ＦＡＸ装置１０ａが「優先着信設定あり」に設定される。Ｓ１１６において、ＣＰＵ３０ａは、ＬＡＮ６内の他のＦＡＸ装置（第２ＦＡＸ装置１０ｂおよび第３ＦＡＸ装置１０ｃ）へ、第１非優先通知情報をブロードキャストにより送信する。第１非優先通知情報は、ＬＡＮ６内の他のＦＡＸ装置を「優先着信設定なし」に設定する旨を通知するための情報である。そして、図２のフローが終了する。
【００２９】
図３のフローを、第２ＦＡＸ装置１０ｂが動作する場合を例として、説明する。Ｓ１３２において、第２ＦＡＸ装置１０ｂのＣＰＵ３０ｂは、ＬＡＮ６内の他のＦＡＸ装置から、第１非優先通知情報を受信したか否かを判断する。受信していない場合（Ｓ１３２：ＮＯ）にはフローを終了し、受信した場合（Ｓ１３２：ＹＥＳ）にはＳ１３４へ進む。Ｓ１３４において、ＣＰＵ３０ｂは、設定記憶テーブルＴＢ１ｂの優先着信フラグ１０５を「優先なし」に設定する。これにより、第２ＦＡＸ装置１０ｂが「優先着信設定なし」に設定される。そしてフローが終了する。なお、第３ＦＡＸ装置１０ｃにおいて実行される図３のフロー処理の内容は、第２ＦＡＸ装置１０ｂで行なわれる図３のフロー処理の内容と同様であるため、説明を省略する。
【００３０】
（指定着信設定の設定処理）
図４および図５を用いて、指定着信設定の設定処理について説明する。図４のフローは、ＬＡＮ６に接続されている第１ＦＡＸ装置１０ａ、第２ＦＡＸ装置１０ｂ、第３ＦＡＸ装置１０ｃに、指定着信動作の実行対象となる指定発信元の情報を入力するフローである。図５のフローは、図４で指定着信設定の設定が行われたＦＡＸ装置以外のＦＡＸ装置を、「指定着信設定あり」に設定するフローである。図４および図５のフローは、第１ＦＡＸ装置１０ａ、第２ＦＡＸ装置１０ｂ、第３ＦＡＸ装置１０ｃの電源が投入されている間に実行されるフローである。本実施形態の説明例では、説明の簡略化のために、第１ＦＡＸ装置１０ａが指定着信設定ありに設定される場合の動作例を、以下に説明する。
【００３１】
図４のＳ２１２において、第１ＦＡＸ装置１０ａのＣＰＵ３０ａは、ユーザによる指定着信設定の入力操作が操作部１４ａで受け付けられたか否かを判断する。入力が受け付けられていない場合（Ｓ２１２：ＮＯ）にはＳ２１２へ戻り、受け付けられた場合（Ｓ２１２：ＹＥＳ）にはＳ２１３へ進む。Ｓ２１３において、ＣＰＵ３０ａは、指定発信元の外線番号と、指定発信元の名称の入力を受け付ける。そして、入力された外線番号を、指定発信元情報１０２として設定記憶テーブルＴＢ１ａ（図７）に記憶する。また、入力された名称を、指定発信者１０３として設定記憶テーブルＴＢ１ａに記憶する。
【００３２】
Ｓ２１４において、ＣＰＵ３０ａは、設定記憶テーブルＴＢ１ａの指定着信フラグ１０４を「指定あり」に設定する。これにより、第１ＦＡＸ装置１０ａが「指定着信設定あり」に設定される。Ｓ２１６において、ＣＰＵ３０ａは、ＬＡＮ６内の他のＦＡＸ装置（第２ＦＡＸ装置１０ｂおよび第３ＦＡＸ装置１０ｃ）へ、指定着信設定通知情報をブロードキャストにより送信する。指定着信設定通知情報は、ＬＡＮ６内の他のＦＡＸ装置を「指定着信設定あり」に設定する旨を通知するための情報である。そして、図４フローが終了する。
【００３３】
図５のフローを、第２ＦＡＸ装置１０ｂが動作する場合を例として、説明する。Ｓ２３２において、第２ＦＡＸ装置１０ｂのＣＰＵ３０ｂは、ＬＡＮ６内の他のＦＡＸ装置から、指定着信設定通知情報を受信したか否かを判断する。受信していない場合（Ｓ２３２：ＮＯ）にはフローを終了し、受信した場合（Ｓ２３２：ＹＥＳ）にはＳ２３４へ進む。Ｓ２３４において、ＣＰＵ３０ｂは、設定記憶テーブルＴＢ１ｂの指定着信フラグ１０４を「指定あり」に設定する。これにより、第２ＦＡＸ装置１０ｂが「指定着信設定あり」に設定される。そしてフローが終了する。なお、第３ＦＡＸ装置１０ｃにおいて実行される図５のフロー処理の内容は、第２ＦＡＸ装置１０ｂで行なわれる図５のフロー処理の内容と同様であるため、説明を省略する。
【００３４】
（着信応答処理）
図６を用いて、ＦＡＸデータの着信応答処理について説明する。本実施形態の説明例では、ＦＡＸ装置１１０（ユーザａ）からホームゲートウェイ９１へＦＡＸデータが送信される場合の動作例を、以下に説明する。ＦＡＸ装置１１０（ユーザａ）は、ＬＡＮ６の外線番号「ｘｘｘｙｙｙｚｚｚｚ」を指定して、ＦＡＸデータを送信する。この場合、ＳＩＰサーバ２２０は、ＩＮＶＩＴＥメッセージをＦＡＸ装置１１０から受信する。このＩＮＶＩＴＥメッセージは、ホームゲートウェイ９１のＳＩＰＵＲＩ（即ちＬＡＮ６のＳＩＰＵＲＩ）「ｘｘｘｙｙｙｚｚｚｚ＠ｓｉｐ．ｃｏｍ」が送信先として指定されていると共に、ＦＡＸ装置１１０のＳＩＰＵＲＩ「ａａａｂｂｂｃｃｃｃ＠ｓｉｐ．ｃｏｍ」が送信元として指定されている。ＳＩＰサーバ２２０は、ＩＮＶＩＴＥメッセージの送信先のＳＩＰＵＲＩ「ｘｘｘｙｙｙｚｚｚｚ＠ｓｉｐ．ｃｏｍ」と、ＬＡＮ６のグローバルＩＰアドレスとを対応付けて記憶している。従って、ＳＩＰサーバ２２０は、ＬＡＮ６のグローバルＩＰアドレスを送信先として、ＩＮＶＩＴＥメッセージをホームゲートウェイ９１へ転送することができる。
【００３５】
ホームゲートウェイ９１は、ＳＩＰサーバ２２０から受信したＩＮＶＩＴＥメッセージを、ＬＡＮ６内の第１ＦＡＸ装置１０ａ、第２ＦＡＸ装置１０ｂ、第３ＦＡＸ装置１０ｃへ一斉送信する。本実施形態の説明例では、説明の簡略化のために、第１ＦＡＸ装置１０ａでの着信応答処理の動作例を、以下に説明する。なお、第２ＦＡＸ装置１０ｂおよび第３ＦＡＸ装置１０ｃでの着信応答処理の内容は、第１ＦＡＸ装置１０ａでの着信応答処理の内容と同様であるため、ここでは説明は省略する。
【００３６】
図６のＳ３１２において、第１ＦＡＸ装置１０ａのＣＰＵ３０ａは、ＩＮＶＩＴＥメッセージをホームゲートウェイ９１から受信したか否かを判断する。受信していない場合（Ｓ３１２：ＮＯ）にはＳ３１２へ戻り、受信した場合（Ｓ３１２：ＹＥＳ）にはＳ３１４へ進む。Ｓ３１４において、ＣＰＵ３０ａは、自機（第１ＦＡＸ装置１０ａ）が「指定着信設定あり」に設定されているか否かを、設定記憶テーブルＴＢ１ａに記憶されている指定着信フラグ１０４に基づいて判断する。「指定着信設定あり」に設定されていないと判断された場合（Ｓ３１４：ＮＯ）にはＳ３１６へ進む。
【００３７】
Ｓ３１６において、ＣＰＵ３０ａは、自機（第１ＦＡＸ装置１０ａ）が「優先着信設定あり」に設定されているか否かを、設定記憶テーブルＴＢ１ａに記憶されている優先着信フラグ１０５に基づいて判断する。「優先着信設定あり」に設定されている場合（Ｓ３１６：ＹＥＳ）には、ＣＰＵ３０ａは、遅延時間を待機することなく（Ｓ３１７）、即座にＳ３２８へ進んで２００ＯＫをホームゲートウェイ９１へ送信する。これにより、第１遅延時間＝０ｓで２００ＯＫが送信される。一方、「優先着信設定あり」に設定されていない場合（Ｓ３１６：ＮＯ）には、ＣＰＵ３０ａは、Ｓ３１８で遅延時間（３ｓ）を待機した後に、Ｓ３２８へ進んで２００ＯＫをホームゲートウェイ９１へ送信する。これにより、第４遅延時間＝３ｓで２００ＯＫが送信される。ここで、Ｓ３１６〜Ｓ３１８では、第１遅延時間（０ｓ）よりも第４遅延時間（３ｓ）の方が大きいという関係が成立している。
【００３８】
一方、Ｓ３１４において、「指定着信設定あり」に設定されていると判断された場合（Ｓ３１４：ＹＥＳ）にはＳ３２０へ進む。Ｓ３２０において、ＣＰＵ３０ａは、ＩＮＶＩＴＥメッセージの送信元が指定発信元であるか否かを判断する。当該判断は、ＩＮＶＩＴＥメッセージに含まれている、送信元を示すＳＩＰＵＲＩに含まれている外線番号が、設定記憶テーブルＴＢ１ａの指定発信元情報１０２に登録されているか否かによって行なわれる。指定発信元である場合（Ｓ３２０：ＹＥＳ）には、ＣＰＵ３０ａは、遅延時間を待機することなく（Ｓ３２１）、即座にＳ３２８へ進んで２００ＯＫをホームゲートウェイ９１へ送信する。これにより、第３遅延時間＝０ｓで２００ＯＫが送信される。一方、指定発信元ではない場合（Ｓ３２０：ＮＯ）には、Ｓ３２２へ進む。
【００３９】
Ｓ３２２において、ＣＰＵ３０ａは、自機（第１ＦＡＸ装置１０ａ）が「優先着信設定あり」に設定されているか否かを、設定記憶テーブルＴＢ１ａに記憶されている優先着信フラグ１０５に基づいて判断する。「優先着信設定あり」に設定されている場合（Ｓ３２２：ＹＥＳ）には、ＣＰＵ３０ａは、Ｓ３２６で遅延時間（１．５ｓ）を待機した後に、Ｓ３２８で２００ＯＫをホームゲートウェイ９１へ送信する。これにより、第１遅延時間＝１．５ｓで２００ＯＫが送信される。一方、「優先着信設定あり」に設定されていない場合（Ｓ３２２：ＮＯ）には、ＣＰＵ３０ａは、Ｓ３２４およびＳ３２６の各々で遅延時間（１．５ｓ）を待機した後に（すなわち、３ｓ待機した後に）、Ｓ３２８で２００ＯＫをホームゲートウェイ９１へ送信する。これにより、第２遅延時間＝３ｓで２００ＯＫが送信される。ここで、Ｓ３２０〜Ｓ３２６では、第３遅延時間（０ｓ）よりも第１遅延時間（１．５ｓ）の方が大きいという関係が成立している。また、第１遅延時間（１．５ｓ）よりも第２遅延時間（３ｓ）の方が大きいという関係が成立している。
【００４０】
Ｓ３２８で２００ＯＫを送信するとＳ３３０へ進み、ＣＰＵ３０ａは、予め定められた所定時間内にＡＣＫ信号をホームゲートウェイ９１から受信したか否かを判断する。ＡＣＫ信号を受信した場合（Ｓ３３０：ＹＥＳ）にはＳ３３２へ進み、ＣＰＵ３０ａは、ＩＮＶＩＴＥを送信してきた装置（ＦＡＸ装置１１０）との通信セッションを確立する。一方、ＡＣＫ信号を受信しなかった場合（Ｓ３３０：ＮＯ）には、通信セッションを確立することなく、フローを終了する。
【００４１】
（動作の第１具体例）
図８を用いて、本実施形態に係る通信システム２の動作の第１具体例を説明する。第１具体例は、優先着信設定のみが「設定あり」に設定されている場合の動作例である。図８の表は、第１ＦＡＸ装置１０ａ、第２ＦＡＸ装置１０ｂ、第３ＦＡＸ装置１０ｃの各々に記憶されている、設定記憶テーブルＴＢ１ａ、ＴＢ１ｂ、ＴＢ１ｃの各々の設定内容例を示す表である。図８の設定内容例では、第１ＦＡＸ装置１０ａのみが「優先着信設定あり」に設定されている。また、第１ＦＡＸ装置１０ａ、第２ＦＡＸ装置１０ｂ、第３ＦＡＸ装置１０ｃの何れも、「指定着信設定あり」に設定されていない。また第１具体例では、ＦＡＸ装置１１０（ユーザａ）からホームゲートウェイ９１へＦＡＸデータが送信される場合の動作例を説明する。
【００４２】
ホームゲートウェイ９１が、ＳＩＰサーバ２２０から受信したＩＮＶＩＴＥメッセージをＬＡＮ６内へ一斉送信すると、第１ＦＡＸ装置１０ａ、第２ＦＡＸ装置１０ｂ、第３ＦＡＸ装置１０ｃがほぼ同時にＩＮＶＩＴＥメッセージを受信する（Ｓ３１２：Ｙ）。第１ＦＡＸ装置１０ａは、「指定着信設定あり」に設定されていないが（Ｓ３１４：Ｎ）、「優先着信設定あり」に設定されているため（Ｓ３１６：ＹＥＳ）、第１遅延時間＝０ｓで２００ＯＫを送信する。一方、第２ＦＡＸ装置１０ｂおよび第３ＦＡＸ装置１０ｃは、「指定着信設定あり」に設定されておらず（Ｓ３１４：Ｎ）、「優先着信設定あり」にも設定されていないため（Ｓ３１６：ＮＯ）、第４遅延時間＝３ｓで２００ＯＫを送信する。すると、第１ＦＡＸ装置１０ａからの２００ＯＫが一番最初にホームゲートウェイ９１で受信されるため、ホームゲートウェイ９１は、第１ＦＡＸ装置１０ａから受信した２００ＯＫのみをＳＩＰサーバ２２０に転送する。ＳＩＰサーバ２２０からは、ホームゲートウェイ９１を介して、第１ＦＡＸ装置１０ａに対してＡＣＫ信号（通信セッションの確立了解を意味する信号）が送信される。これにより、第１ＦＡＸ装置１０ａとＦＡＸ装置１１０との間で通信セッションが確立され、ＦＡＸ受信が可能となる。
【００４３】
（動作の第２具体例）
図９を用いて、本実施形態に係る通信システム２の動作の第２具体例を説明する。第２具体例は、指定着信設定のみが「設定あり」に設定されている場合の動作例である。図９の表は、第１ＦＡＸ装置１０ａ、第２ＦＡＸ装置１０ｂ、第３ＦＡＸ装置１０ｃの各々に記憶されている、設定記憶テーブルＴＢ１ａ、ＴＢ１ｂ、ＴＢ１ｃの各々の設定内容例を示す表である。図９の設定内容例では、第１ＦＡＸ装置１０ａは、指定発信者１０３が指定されていない状態で「指定着信設定あり」に設定されている。また、第２ＦＡＸ装置１０ｂは、指定発信者１０３＝「ユーザａ」を指定して、「指定着信設定あり」に設定されている。また、第３ＦＡＸ装置１０ｃは、指定発信者１０３＝「ユーザｂ」「ユーザｃ」を指定して、「指定着信設定あり」に設定されている。また、第１ＦＡＸ装置１０ａ、第２ＦＡＸ装置１０ｂ、第３ＦＡＸ装置１０ｃの何れも、「優先着信設定あり」に設定されていない。また第２具体例では、ＦＡＸ装置１１０（ユーザａ）からホームゲートウェイ９１へＦＡＸデータが送信される場合の動作例を説明する。
【００４４】
ホームゲートウェイ９１がＩＮＶＩＴＥメッセージをＬＡＮ６内へ一斉送信すると、第１ＦＡＸ装置１０ａ、第２ＦＡＸ装置１０ｂ、第３ＦＡＸ装置１０ｃがほぼ同時にＩＮＶＩＴＥメッセージを受信する（Ｓ３１２：Ｙ）。第２ＦＡＸ装置１０ｂは、「指定着信設定あり」に設定されており（Ｓ３１４：Ｙ）、ＩＮＶＩＴＥメッセージの送信元が指定発信元（ユーザａ）であるため（Ｓ３２０：Ｙ）、第３遅延時間＝０ｓで２００ＯＫを送信する。一方、第１ＦＡＸ装置１０ａおよび第３ＦＡＸ装置１０ｃは、「指定着信設定あり」に設定されているが（Ｓ３１４：Ｙ）、ＩＮＶＩＴＥメッセージの送信元が指定発信元ではない（Ｓ３２０：Ｎ）。また、「優先着信設定あり」に設定されていないため（Ｓ３２２：ＮＯ）、第２遅延時間＝３ｓで２００ＯＫを送信する。すると、第２ＦＡＸ装置１０ｂからの２００ＯＫが一番最初にホームゲートウェイ９１で受信されるため、第２ＦＡＸ装置１０ｂとＦＡＸ装置１１０との間で通信セッションが確立され、ＦＡＸ受信が可能となる。
【００４５】
（動作の第３具体例）
図１０〜図１２を用いて、本実施形態に係る通信システム２の動作の第３具体例を説明する。第３具体例は、指定着信設定および優先着信設定の両方が「設定あり」に設定されている場合の動作例である。図１０の表は、第１ＦＡＸ装置１０ａ、第２ＦＡＸ装置１０ｂ、第３ＦＡＸ装置１０ｃの各々に記憶されている、設定記憶テーブルＴＢ１ａ、ＴＢ１ｂ、ＴＢ１ｃの各々の設定内容例を示す表である。図１０での優先着信設定の設定内容は、図８の設定内容と同様であるため、説明を省略する。また、図１０での指定着信設定の設定内容は、図９の設定内容と同様であるため、説明を省略する。
【００４６】
まず、ＦＡＸ装置１１１（ユーザｂ）からホームゲートウェイ９１へＦＡＸデータが送信される場合の動作例を、図１１のシーケンス図を用いて説明する。ホームゲートウェイ９１がＩＮＶＩＴＥメッセージをＬＡＮ６内へ一斉送信すると、第１ＦＡＸ装置１０ａ、第２ＦＡＸ装置１０ｂ、第３ＦＡＸ装置１０ｃがほぼ同時にＩＮＶＩＴＥメッセージを受信する（Ｓ３１２：Ｙ）。第３ＦＡＸ装置１０ｃは、「指定着信設定あり」に設定されており（Ｓ３１４：Ｙ）、ＩＮＶＩＴＥメッセージの送信元が指定発信元（ユーザｂ）であるため（Ｓ３２０：Ｙ）、第３遅延時間＝０ｓで２００ＯＫを送信する（図１１、矢印Ｙ１）。第１ＦＡＸ装置１０ａは、「指定着信設定あり」に設定されているが（Ｓ３１４：Ｙ）、ＩＮＶＩＴＥメッセージの送信元が指定発信元ではない（Ｓ３２０：Ｎ）。また、「優先着信設定あり」に設定されているため（Ｓ３２２：ＹＥＳ）、第１遅延時間＝１．５ｓで２００ＯＫを送信する（図１１、矢印Ｙ２）。第２ＦＡＸ装置１０ｂは、「指定着信設定あり」に設定されているが（Ｓ３１４：Ｙ）、ＩＮＶＩＴＥメッセージの送信元が指定発信元ではない（Ｓ３２０：Ｎ）。また、「優先着信設定あり」に設定されていないため（Ｓ３２２：ＮＯ）、第２遅延時間＝３ｓで２００ＯＫを送信する（図１１、矢印Ｙ３）。すると、第３ＦＡＸ装置１０ｃからの２００ＯＫが一番最初にホームゲートウェイ９１で受信されるため、第３ＦＡＸ装置１０ｃとＦＡＸ装置１１１との間で通信セッションが確立され、ＦＡＸ受信が可能となる（図１１、矢印Ｙ４）。
【００４７】
次に、ＦＡＸ装置１１３（ユーザｄ）からホームゲートウェイ９１へＦＡＸデータが送信される場合の動作例を、図１２のシーケンス図を用いて説明する。ＦＡＸ装置１１３は、第１ＦＡＸ装置１０ａ、第２ＦＡＸ装置１０ｂ、第３ＦＡＸ装置１０ｃの何れにおいても、指定発信元に登録されていない装置である。ホームゲートウェイ９１がＩＮＶＩＴＥメッセージをＬＡＮ６内へ一斉送信すると、第１ＦＡＸ装置１０ａ、第２ＦＡＸ装置１０ｂ、第３ＦＡＸ装置１０ｃがほぼ同時にＩＮＶＩＴＥメッセージを受信する（Ｓ３１２：Ｙ）。第１ＦＡＸ装置１０ａは、「指定着信設定あり」に設定されているが（Ｓ３１４：Ｙ）、ＩＮＶＩＴＥメッセージの送信元が指定発信元ではない（Ｓ３２０：Ｎ）。また、「優先着信設定あり」に設定されているため（Ｓ３２２：ＹＥＳ）、第１遅延時間＝１．５ｓで２００ＯＫを送信する（図１２、矢印Ｙ１１）。第２ＦＡＸ装置１０ｂおよび第３ＦＡＸ装置１０ｃは、「指定着信設定あり」に設定されているが（Ｓ３１４：Ｙ）、ＩＮＶＩＴＥメッセージの送信元が指定発信元ではない（Ｓ３２０：Ｎ）。また、「優先着信設定あり」に設定されていないため（Ｓ３２２：ＮＯ）、第２遅延時間＝３ｓで２００ＯＫを送信する（図１２、矢印Ｙ１２）。すると、第１ＦＡＸ装置１０ａからの２００ＯＫが一番最初にホームゲートウェイ９１で受信されるため、第１ＦＡＸ装置１０ａとＦＡＸ装置１１１との間で通信セッションが確立され、ＦＡＸ受信が可能となる（図１２、矢印Ｙ１３）。
【００４８】
（効果）
本実施例の説明例に係るＦＡＸ装置の効果を説明する。ＦＡＸ装置が優先着信設定や指定着信設定を設定する手段を備えない場合には、ＬＡＮ６に接続されている第１ＦＡＸ装置１０ａ、第２ＦＡＸ装置１０ｂ、第３ＦＡＸ装置１０ｃは、ＩＮＶＩＴＥメッセージを受信すると、ほぼ同一のタイミングで２００ＯＫをホームゲートウェイ９１へ返信する。すると、一番最初にホームゲートウェイ９１で受信された２００ＯＫに対応するＦＡＸ装置でＩＰ網４との間の通信セッションが確立されてしまうため、通信を実行するＦＡＸ装置を特定することが困難である。そこで、本願に記載のＦＡＸ装置では、優先着信設定が「設定あり」とされたＦＡＸ装置は、ＩＮＶＩＴＥメッセージを受信した場合には、第１遅延時間（０ｓまたは１．５ｓ）で２００ＯＫを送信する。一方、優先着信設定が「設定なし」とされたＦＡＸ装置では、ＩＮＶＩＴＥメッセージを受信した場合には、第１遅延時間よりも大きい第２遅延時間（３ｓ）で２００ＯＫを送信する。これにより、優先着信設定が「設定あり」とされたＦＡＸ装置から出力された２００ＯＫが一番最初にホームゲートウェイ９１で受信されるため、当該ＦＡＸ装置で通信セッションを確実に確立することが可能となる。
【００４９】
また、第１ＦＡＸ装置１０ａ、第２ＦＡＸ装置１０ｂ、第３ＦＡＸ装置１０ｃの各々が２００ＯＫを送信する際の遅延時間を制御することによって、優先着信制御を行うことができる。すなわち、ホームゲートウェイ９１を用いない、自律分散システムを構築することができる。よって、ホームゲートウェイ９１に優先着信を制御する機能が備えられていない場合においても、優先着信制御を実施することが可能となる。
【００５０】
また本願に記載のＦＡＸ装置は、「優先着信設定あり」に設定されると（Ｓ１１４）、ＬＡＮ６内の他のＦＡＸ装置へ第１非優先通知情報をブロードキャストする（Ｓ１１６）。これにより、ＬＡＮ６内の他のＦＡＸ装置の各々に対して、「優先着信設定なし」の設定を個別に行う必要を無くすことができるため、優先着信設定の手続きを簡略化することができる。
【００５１】
また本願に記載のＦＡＸ装置では、指定着信設定が「設定あり」とされたＦＡＸ装置は、指定発信元からＩＮＶＩＴＥメッセージを受信した場合には、第３遅延時間（０ｓ）で２００ＯＫを送信する。一方、指定着信設定が「設定なし」とされたＦＡＸ装置では、ＩＮＶＩＴＥメッセージを受信した場合には、第３遅延時間よりも大きい第４遅延時間（１．５ｓまたは３ｓ）で２００ＯＫを送信する。これにより、指定発信元からＩＮＶＩＴＥメッセージを受信した場合には、指定着信設定が「設定あり」とされたＦＡＸ装置で通信セッションを確実に確立することが可能となる。
【００５２】
また、第１ＦＡＸ装置１０ａ、第２ＦＡＸ装置１０ｂ、第３ＦＡＸ装置１０ｃに対して、優先着信設定と指定着信設定とが重複して設定される場合がある。本願に係るＦＡＸ装置では、第３遅延時間（０ｓ、Ｓ３２１）よりも第１遅延時間（１．５ｓ、Ｓ３２２：Ｙ）の方が大きいという関係が成立している。これにより、指定発信元からＩＮＶＩＴＥメッセージを受信したＦＡＸ装置は、他のＦＡＸ装置に比して早く２００ＯＫを送信する。よって、優先着信設定が行われたＦＡＸ装置よりも、指定着信設定が行われたＦＡＸ装置の方を優先して通信セッションを確立させることができる。また本願に係るＦＡＸ装置では、第１遅延時間（１．５ｓ、Ｓ３２２：Ｙ）よりも第２遅延時間（３ｓ、Ｓ３２２：Ｎ）の方が大きいという関係が成立している。これにより、指定発信元ではない発信元からＩＮＶＩＴＥメッセージを受信した場合には、「優先着信設定あり」に設定されているＦＡＸ装置は、「優先着信設定なし」に設定されているＦＡＸ装置に比して早く２００ＯＫを送信する。よって、「優先着信設定なし」のＦＡＸ装置よりも、「優先着信設定あり」のＦＡＸ装置の方を優先して通信セッションを確立させることができる。以上より、優先着信設定と指定着信設定とが重複して設定された場合に、何れを優先するかを決定することが可能となる。
【００５３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【００５４】
（変形例）
本実施形態で用いた第１遅延時間〜第４遅延時間の値は、一例である。本実施形態で説明した大小関係が成立していれば、どのような値を用いてもよい。
【００５５】
ホームゲートウェイ９１に接続されるＦＡＸ装置は、第１ＦＡＸ装置１０ａ、第２ＦＡＸ装置１０ｂ、第３ＦＡＸ装置１０ｃ、の３台に限られず、これ以上の台数のＦＡＸ装置が接続される場合においても、本願の技術を適用可能である。
【００５６】
本実施形態では、ＦＡＸ装置１１０が第１ＦＡＸ装置１０ａに対してＦＡＸ送信処理を実行する場合を例に説明した。しかしながら、本技術は各種のデータ送信処理（例：電子メール送信処理）に適用可能である。
【００５７】
本実施形態で説明したＴＢ１ａ設定記憶テーブルＴＢ１ａ（図７）の記憶内容は、例示である。よって、指定発信元情報１０２の登録数などは、これらの値に限定されない。
【００５８】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００５９】
ＬＡＮ６は内部ネットワークの一例である。ＩＰ網４は外部ネットワークの一例である。ホームゲートウェイ９１は接続機器の一例である。第１ＦＡＸ装置１０ａ、第２ＦＡＸ装置１０ｂ、第３ＦＡＸ装置１０ｃは通信装置の一例である。ＩＮＶＩＴＥは呼び出し情報の一例である。２００ＯＫは第１応答情報の一例である。優先着信設定は第１優先設定の一例である。Ｓ１１４を実行するＣＰＵは第１設定手段の一例である。Ｓ１１６を実行するＣＰＵは第１送信手段の一例である。Ｓ１３４を実行するＣＰＵは第２設定手段の一例である。Ｓ３２８を実行するＣＰＵは第２送信手段の一例である。ＡＣＫ信号は第２応答情報の一例である。Ｓ３３２を実行するＣＰＵは通信実行手段の一例である。指定着信設定は第２優先設定の一例である。Ｓ２１４を実行するＣＰＵは第３設定手段の一例である。Ｓ２１６を実行するＣＰＵは第３送信手段の一例である。Ｓ２３４を実行するＣＰＵは第４設定手段の一例である。外線番号は特定の識別情報の一例である。
【符号の説明】
【００６０】
２：通信システム、４：ＩＰ網、６：ＬＡＮ、１０ａ：第１ＦＡＸ装置、１０ｂ：第２ＦＡＸ装置、１０ｃ：第３ＦＡＸ装置、９１：ホームゲートウェイ、２２０：ＳＩＰサーバ、ＴＢ１ａ、ＴＢ１ｂ、ＴＢ１ｃ：設定記憶テーブル
【図１】
0005870585.tif 000002
【図２】
0005870585.tif 000003
【図３】
0005870585.tif 000004
【図４】
0005870585.tif 000005
【図５】
0005870585.tif 000006
【図６】
0005870585.tif 000007
【図７】
0005870585.tif 000008
【図８】
0005870585.tif 000009
【図９】
0005870585.tif 000010
【図１０】
0005870585.tif 000011
【図１１】
0005870585.tif 000012
【図１２】
0005870585.tif 000013